(57)【要約】【課題】隔壁または多孔質部材を備えた電気泳動表示装置であって、表示のロスを低減でき、その結果、高コントラス化することができる電気泳動表示装置及び電子機器を提供する。【解決手段】本発明に係る電気泳動表示装置１０は、面３ａに共通電極４を有する対向基板３と、対向基板３から離れて設置されて、面３ａに対向する面１ａに画素電極２を有する画素基板１と、対向基板３と画素基板１との間を複数のセル１１に区画する隔壁８と、複数のセル１１の各々に充填された、電気泳動粒子６を有する分散液５とを備え、隔壁８は、スペーサー層９ａを介して面３ａ側に設置され、スペーサー層９ａは、繊維９ｂと、繊維９ｂ間にある隙間９ｃと、を有し、対向基板３の法線方向から見て、繊維９ｂの面積は、隔壁８の端面８ａの面積よりも小さい。【選択図】図１
2013225065.tif 000002
【特許請求の範囲】
【請求項１】
第１の面に第１の電極を有する第１の基板と、
前記第１の基板から離れて設置されて、前記第１の面に対向する第２の面に第２の電極を有する第２の基板と、
前記第１の基板と前記第２の基板との間を複数のセルに区画する隔壁と、
前記複数のセルの各々に充填された、電気泳動粒子を有する分散液と、を備え、
前記隔壁は、第１のスペーサー層を介して前記第１の面側に設置され、
前記第１のスペーサー層は、第１のスペーサーと、前記第１のスペーサー間にある第１の隙間と、を有し、
前記第１の基板の法線方向から見て、前記第１のスペーサーが占める面積は、前記隔壁の面積よりも小さいことを特徴とする電気泳動表示装置。
【請求項２】
前記第１のスペーサーは、複数の繊維で形成されていることを特徴とする請求項１に記載の電気泳動表示装置。
【請求項３】
前記第１のスペーサー層の厚さは、前記電気泳動粒子の平均粒径以上であることを特徴とする請求項１または請求項２に記載の電気泳動表示装置。
【請求項４】
前記第１のスペーサーは、絶縁性の部材で形成されていることを特徴とする請求項１から請求項３の何れか一項に記載の電気泳動表示装置。
【請求項５】
前記隔壁は、第２のスペーサー層を介して前記第２の面側に設置され、
前記第２のスペーサー層は、第２のスペーサーと、前記第２のスペーサー間にある第２の隙間と、を有し、
前記第２の基板の法線方向から見て、前記第２のスペーサーが占める面積は、前記隔壁の面積よりも小さいことを特徴とする請求項１から請求項４の何れか一項に記載の電気泳動表示装置。
【請求項６】
前記第２のスペーサーは、複数の繊維で形成されていることを特徴とする請求項５に記載の電気泳動表示装置。
【請求項７】
前記第２のスペーサー層の厚さは、前記電気泳動粒子の平均粒径以上であることを特徴とする請求項５または請求項６に記載の電気泳動表示装置。
【請求項８】
前記第２のスペーサーは、絶縁性の部材で形成されていることを特徴とする請求項５から請求項７の何れか一項に記載の電気泳動表示装置。
【請求項９】
第１の面に第１の電極を有する第１の基板と、
前記第１の基板から離れて設置されて、前記第１の面に対向する第２の面に第２の電極を有する第２の基板と、
前記第１の基板と前記第２の基板との間に設置された、連通する複数の孔を備える多孔質部材と、
前記複数の孔の各々に充填された、電気泳動粒子を有する分散液と、を備え、
前記多孔質部材は、第１のスペーサー層を介して前記第１の面側に設置され、
前記第１のスペーサー層は、第１のスペーサーと、前記第１のスペーサー間にある第１の隙間と、を有し、
前記第１の基板の法線方向から見て、前記第１のスペーサーが占める面積は、前記多孔質部材の面積よりも小さいことを特徴とする電気泳動表示装置。
【請求項１０】
請求項１から請求項９の何れか一項に記載の電気泳動表示装置を備えることを特徴とする電子機器。
【発明の詳細な説明】
【技術分野】
【０００１】
本発明は、電気泳動表示装置及び電子機器に関する。
【背景技術】
【０００２】
従来技術に係る電気泳動表示装置（ＥＰＤ：ＥｌｅｃｔｒｏＰｈｏｒｅｔｉｃ  Ｄｉｓｐｌａｙ）として、例えば特許文献１に開示されたものがある。
上記電気泳動表示装置には、図７に示すように、例えば画素基板１と、対向基板３と、電気泳動粒子６を含む分散液５と、分散液５に電界を印加する一対の電極（画素電極２と共通電極４）と、複数のセル１１を形成する隔壁８とを含んだものがある。
【先行技術文献】
【特許文献】
【０００３】
【特許文献１】特開２０１１−２４８０６５号公報
【発明の概要】
【発明が解決しようとする課題】
【０００４】
上述の電気泳動表示装置には、例えば隔壁８のリブ（端面）８ａが共通電極４を介して対向基板３に設置されているものがある。この場合、この端面８ａが対向基板３側（表示面側）から視認されることがある。この視認された領域は、表示に寄与しない領域、いわゆる表示のロスとなることがある（図２（ａ）を参照）。この場合には、表示面全体における表示領域の割合が小さくなるので、電気泳動表示装置の高コントラス化が困難となるという課題がある。
そこで、本発明は、上記の課題に鑑みてなされたものであり、隔壁または多孔質部材を備えた電気泳動表示装置であって、表示のロスを低減でき、その結果、高コントラス化することができる電気泳動表示装置及び電子機器を提供することを目的とする。
【課題を解決するための手段】
【０００５】
上記課題を解決するための本発明の一態様は、第１の面に第１の電極を有する第１の基板と、前記第１の基板から離れて設置されて、前記第１の面に対向する第２の面に第２の電極を有する第２の基板と、前記第１の基板と前記第２の基板との間を複数のセルに区画する隔壁と、前記複数のセルの各々に充填された、電気泳動粒子を有する分散液と、を備え、前記隔壁は、第１のスペーサー層を介して前記第１の面側に設置され、前記第１のスペーサー層は、第１のスペーサーと、前記第１のスペーサー間にある第１の隙間と、を有し、前記第１の基板の法線方向から見て、前記第１のスペーサーが占める面積は、前記隔壁の面積よりも小さいことを特徴とする電気泳動表示装置である。
【０００６】
このような構造であれば、隔壁と第１の基板との間には第１のスペーサーが設置されるので、第１の基板の法線方向から見た場合には、隔壁よりも第１のスペーサーの方が視認されやすくなる。そして、第１の基板の法線方向から見た第１のスペーサーが占める面積は、隔壁（の端面）の面積よりも小さいので、従来技術と比較して、表示のロスを低減できる。ゆえに、表示領域を拡大できるので（表示面全体における表示領域の割合を大きくできるので）、電気泳動表示装置を高コントラス化することができる。
【０００７】
なお、上述の「第１の基板」として、後述する実施形態では「対向基板３」が例示されている。また、「第１の面」として、後述する実施形態では「面３ａ」が例示されている。また、「第１の電極」として、後述する実施形態では「共通電極４」が例示されている。また、「第２の基板」として、後述する実施形態では「画素基板１」が例示されている。また、「第２の面」として、後述する実施形態では「面１ａ」が例示されている。また、「第２の電極」として、後述する実施形態では「画素電極２」が例示されている。また、「第１のスペーサー層」として、後述する実施形態では「スペーサー層９ａ」が例示されている。また、「第１のスペーサー」として、後述する実施形態では「スペーサー（繊維）９ｂ」が例示されている。また、上述の「隙間」として、後述する実施形態では「隙間９ｃ」が例示されている。
【０００８】
また、本発明の別の態様は、前記第１のスペーサーは、複数の繊維で形成されていることとしてもよい。
このような構造であれば、第１のスペーサーが複数の繊維で形成されているので、その形成が容易となる。
また、本発明の別の態様は、前記第１のスペーサー層の厚さは、前記電気泳動粒子の平均粒径以上であることとしてもよい。
このような構造であれば、第１のスペーサー層の厚さが電気泳動粒子の平均粒径以上であるので、第１の基板と隔壁との間に電気泳動粒子が挟まって残留する可能性を低減できる。このため、第１の基板と隔壁との間に電気泳動粒子が残留することで生じる表示のロスを低減できる。また、上記構造であれば、第１の基板と隔壁との間に電気泳動粒子を配置することもできる。この場合、電気泳動粒子は表示に寄与できるので、さらに表示のロスを低減できる。
【０００９】
また、本発明の別の態様は、前記第１のスペーサーは、絶縁性の部材で形成されていることとしてもよい。
このような構造であれば、第１のスペーサーが絶縁性の部材で形成されているので、仮に第１のスペーサーの一部が導電部材に接触した場合であってもショートする可能性を低減できる。
また、本発明の別の態様は、前記隔壁は、第２のスペーサー層を介して前記第２の面側に設置され、前記第２のスペーサー層は、第２のスペーサーと、前記第２のスペーサー間にある第２の隙間と、を有し、前記第２の基板の法線方向から見て、前記第２のスペーサーが占める面積は、前記隔壁の面積よりも小さいこととしてもよい。
【００１０】
このような構造であれば、隔壁と第２の基板との間には第２のスペーサーが設置されるので、第２の基板の法線方向から見た場合には、隔壁よりも第２のスペーサーの方が視認されやすくなる。そして、第２の基板の法線方向から見た第２のスペーサーが占める面積は、壁面（の端面）の面積よりも小さいので、従来技術と比較して、表示のロスを低減できる。ゆえに、表示領域を拡大できるので、電気泳動表示装置を高コントラス化することができる。
なお、上述の「第２のスペーサー層」として、後述する実施形態では「スペーサー層９ｄ」が例示されている。また、「第２のスペーサー」として、後述する実施形態では「スペーサー（繊維）９ｅ」が例示されている。
【００１１】
また、本発明の別の態様は、前記第２のスペーサーは、複数の繊維で形成されていることとしてもよい。
このような構造であれば、第２のスペーサーが複数の繊維で形成されているので、その形成が容易となる。
また、本発明の別の態様は、前記第２のスペーサー層の厚さは、前記電気泳動粒子の平均粒径以上であることとしてもよい。
このような構造であれば、第２のスペーサー層の厚さが電気泳動粒子の平均粒径以上であるので、第２の基板と隔壁との間に電気泳動粒子が挟まって残留する可能性を低減できる。このため、第２の基板と隔壁との間に電気泳動粒子が残留することで生じる表示のロスを低減できる。また、上記構造であれば、第２の基板と隔壁との間に電気泳動粒子を配置することもできる。この場合、電気泳動粒子は表示に寄与できるので、さらに表示のロスを低減できる。
【００１２】
また、本発明の別の態様は、前記第２のスペーサーは、絶縁性の部材で形成されていることとしてもよい。
このような構造であれば、第２のスペーサーが絶縁性の部材で形成されているので、仮に第２のスペーサーの一部が導電部材に接触した場合であってもショートする可能性を低減できる。
【００１３】
また、本発明の別の態様は、第１の面に第１の電極を有する第１の基板と、前記第１の基板から離れて設置されて、前記第１の面に対向する第２の面に第２の電極を有する第２の基板と、前記第１の基板と前記第２の基板との間に設置された、連通する複数の孔を備える多孔質部材と、前記複数の孔の各々に充填された、電気泳動粒子を有する分散液と、を備え、前記多孔質部材は、第１のスペーサー層を介して前記第１の面側に設置され、前記第１のスペーサー層は、第１のスペーサーと、前記第１のスペーサー間にある第１の隙間と、を有し、前記第１の基板の法線方向から見て、前記第１のスペーサーが占める面積は、前記多孔質部材の面積よりも小さいことを特徴とする電気泳動表示装置である。
【００１４】
このような構造であれば、多孔質部材と第１の基板との間には第１のスペーサーが設置されるので、第１の基板の法線方向から見た場合には、多孔質部材よりも第１のスペーサーの方が視認されやすくなる。そして、第１の基板の法線方向から見た第１のスペーサーの面積は、多孔質部材の面積よりも小さいので、従来技術と比較して、表示のロスを低減できる。ゆえに、表示領域を拡大させることができ、電気泳動表示装置を高コントラス化することができる。
なお、上述の「多孔質部材」とは、多数の微細な孔をもつ部材を意味するものとする。
【００１５】
また、本発明の別の態様は、上記態様の電気泳動表示装置を備えることを特徴とする電子機器である。
このような構造であれば、上記の電気泳動表示装置を備えているので、表示のロスを低減でき、その結果、高コントラス化することができる電子機器を実現することができる。
【図面の簡単な説明】
【００１６】
【図１】本発明の第１実施形態に係る電気泳動表示装置を模式的に示す断面図。
【図２】表示のロスが生じた部分を模式的に示す平面図。
【図３】本発明の第１実施形態に係る電気泳動表示装置の変形例を模式的に示す断面図。
【図４】本発明の第１実施形態に係る電気泳動表示装置の変形例を模式的に示す断面図。
【図５】本発明の第１実施形態に係る電気泳動表示装置の変形例を模式的に示す断面図。
【図６】本発明の第２実施形態に係る電子ペーパーの構成例を示す斜視図。
【図７】従来技術に係る電気泳動表示装置を模式的に示す断面図。
【発明を実施するための形態】
【００１７】
以下、本発明の実施形態に係る電気泳動表示装置とその変形例について、図面を参照しつつ説明する。ただし、本発明は以下の実施形態のみに限定されるものではない。また、本発明は以下の実施形態を自由に組み合わせたものを含むものとする。
（１）第１実施形態
図１は、本実施形態に係る電気泳動表示装置１０を模式的に示す断面図である。図１に示すように、電気泳動表示装置１０は、画素基板１と、画素電極２と、対向基板３と、共通電極４と、分散液５と、隔壁８と、スペーサー層９ａと、を含んで構成されている。以下、上記の各構成部について説明する。
【００１８】
（画素基板１及び画素電極２）
画素基板１は、画素電極２と、画素電極２に印加する電圧を制御するための駆動回路（図示せず）とを備えた基板であり、例えば平板状の部材からなる。画素基板１は、面１ａと、面１ａの反対側の面１ｂとを含んでいる。画素基板１の面１ａには、画素電極２が形成されている。また、画素基板１の面１ｂ側には、図示しない駆動回路が形成されている。
画素電極２は、後述する分散液５に電界を印加するための電極であり、例えば平板状の導電部材からなる。この画素電極２は、例えば画素基板１の面１ａに複数形成されている。そして、各画素電極２は、例えば面１ａに等間隔に形成されている。また、各画素電極２は、例えば各画素に対応するものである。このため、各画素電極２には独立した電圧を印加することができる。
【００１９】
（対向基板３及び共通電極４）
本実施形態に係る電気泳動表示装置１０は、対向基板３を表示面とするものである。対向基板３は、画素基板１から離れ画素基板１の面１ａに対向して設置された基板であり、例えば平板状の透明部材からなる。また、対向基板３は、画素基板１の面１ａに対向する面３ａを含んだ基板である。
共通電極４は、対向基板３の面３ａに、画素電極２に対向して設置された電極であり、例えば平板状の透明部材（ＩＴＯ）からなる。この共通電極４は、後述する分散液５に電界を印加するための電極であり、例えば平板状の導電部材からなる。共通電極４は、例えば対向基板３の面３ａの全てを覆うように形成されている。このため、共通電極４には共通した電圧を印加することができる。
【００２０】
（分散液５）
分散液５は、電気泳動粒子６と分散媒（図示せず）とを含んだ液体である。そして、この分散液５は、画素基板１と対向基板３と後述する隔壁８とで形成されたセル１１に充填されている。また、この分散液５は、例えば画素電極２及び共通電極４に接している。
電気泳動粒子６は、画素電極２と共通電極４との間に電界を印加した場合に分散媒中を泳動可能な粒子であり、例えば帯電した粒子である。図１には、電気泳動粒子６として、黒色粒子６ａと白色粒子６ｂとが例示されている。
【００２１】
（隔壁８）
隔壁８は、画素基板１と対向基板３との間を複数のセル１１に区画するための壁である。図１には、平板状の隔壁８が複数示されている。この隔壁８は、対向基板３の面３ａに対向する端面８ａを備えている。この端面８ａは、対向基板３から離れて位置している。また、隔壁８は、端面８ａの反対側に端面８ｂを備えている。
【００２２】
隔壁８の端面８ａは、後述するスペーサー層９ａを介して対向基板３に設置されている。また、隔壁８の端面８ｂは、画素基板１に接して設置されている。隔壁８は、例えば各画素電極２間に形成されている。なお、隔壁８は、セル１１を形成することができる壁であればよく、例えばエポキシ系の樹脂で形成された壁である。
また、セル１１の形態としては、隔壁８に開口部を備えた連通タイプのセルであってもよいし、隔壁８に開口部を備えない不連通タイプのセルであってもよい。
【００２３】
（スペーサー層９ａ）
スペーサー層９ａは、対向基板３の面３ａ側に設置されている。上述のように隔壁８は、このスペーサー層９ａを介して、画素基板１と対向基板３との間に設置されている。スペーサー層９ａは、対向基板３の面３ａと隔壁８の端面８ａとの間の距離を一定に保つ機能を有する。
スペーサー層９ａは、スペーサー９ｂを有している。スペーサー９ｂは、例えば繊維で形成されたものである。このスペーサー層９ａにおいて、繊維９ｂは不規則に並んで形成されたものであってもよいし、規則的に並んで形成されたものであってもよい。また、このスペーサー層９ａは、１本の繊維９ｂで形成されたものであってもよいし、複数本の繊維９ｂで形成されたものであってもよい。なお、スペーサー９ｂは、繊維に限定されるものではない。スペーサー層９ａに後述する隙間９ｃを形成できるものであればよい。
【００２４】
繊維９ｂの材料は、有機材料であってもよいし、無機材料であってもよい。また、繊維９ｂは、絶縁部材で形成されていてもよい。
スペーサー層９ａの厚さは、電気泳動粒子６の平均粒径以上の厚さであり、例えば電気泳動粒子６の平均粒径の１倍以上５０倍以下の範囲内である。
【００２５】
また、対向基板３の法線方向から見た場合に視認される繊維９ｂが占める面積は、隔壁８の端面８ａの面積よりも小さい。
スペーサー層９ａは、電気泳動粒子６が移動可能な隙間９ｃを有している。この隙間９ｃの形状は、特に限定されるものではない。例えば、全体として不規則な形状をした隙間９ｃであってもよいし、規則的な形状をした隙間９ｃであってもよい。
スペーサー層９ａの形成方法には、例えば以下の方法がある。まず、スペーサー層９ａを構成する繊維９ｂを分散させた溶液を対向基板３の面３ａ側に塗布する。その後、前記溶液を乾燥させる。こうして対向基板３の面３ａ側にスペーサー層９ａを形成する。最後にスペーサー層９ａが形成された対向基板３と隔壁８とを貼り合わせることで、電気泳動表示装置１０を形成する。
【００２６】
なお、図１は、対向基板３の面３ａと隔壁８の端面８ａとの間に挟まれた繊維９ｂの状態を例示するものである。図１には、対向基板３の面３ａと隔壁８の端面８ａとの間に挟まれた１本の繊維９ｂが示されているが、これに限定されるものではない。例えば、対向基板３の面３ａと隔壁８の端面８ａとの間に複数本の繊維９ｂが挟まれていてもよい。
以下、本実施形態に係る電気泳動表示装置１０と従来技術に係る電気泳動表示装置の表示ロスについて、図２を参照しつつ説明する。図２（ａ）は、従来技術に係る電気泳動表示装置（例えば、隔壁８の端面８ａが共通電極４を介して対向基板３の面３ａに設置された電気泳動表示装置）において表示ロスとなる部分を示す図である。図２（ａ）の白線部分１５ａ（端面８ａに相当する部分）が表示ロスとなる部分である。一方、図２（ｂ）は、本実施形態に係る電気泳動表示装置１０において表示ロスとなる部分を示す図である。図２（ｂ）の白線部分１５ｂ（繊維９ｂに相当する部分）が表示ロスとなる部分である。なお、図２（ａ）、（ｂ）では、表示領域となる部分を「表示領域となる部分１４」として表記する。
【００２７】
以上のように、本実施形態に係る電気泳動表示装置１０であれば、隔壁８の端面８ａと対向基板３との間にはスペーサー層９ａが設置されている。このため、対向基板３の法線方向から見た場合には、隔壁８の端面８ａよりも繊維９ｂの方が視認されやすくなる。そして、対向基板３の法線方向から見た場合に視認される繊維９ｂが占める面積は、隔壁８の端面８ａの面積よりも小さくなっているので、従来技術と比較して、表示のロスを低減できる。ゆえに、表示領域を拡大できるので（表示面全体における表示領域の割合を大きくできるので）、電気泳動表示装置を高コントラス化することができる。
【００２８】
さらに、電気泳動表示装置１０であれば、スペーサー層９ａの厚さは、電気泳動粒子６の平均粒径以上であるので、対向基板３と端面８ａとの間に電気泳動粒子６が挟まって残留する可能性を低減できる。また、電気泳動表示装置１０であれば、対向基板３と隔壁８との間に電気泳動粒子６を配置することもできる。この電気泳動粒子６は表示に寄与できるので、さらに表示のロスを低減できる。
【００２９】
なお、本実施形態では、上述のスペーサー層９ａと後述するスペーサー層９ｄとを併せて、「スペーサー層９」と表記する。
以下、電気泳動表示装置１０の変形例１〜３について図３〜５を参照しつつ説明する。説明する。なお、変形例１〜３において、電気泳動表示装置１０と同一構成要素には同一符号を付け、重複する説明については省略する場合がある。
【００３０】
（変形例１）
電気泳動表示装置１０では、端面８ｂが画素基板１に接している場合について説明したが、これに限定されるものではない。例えば、画素基板１から離して端面８ｂを設置してもよい。この場合には、隔壁８はスペーサー層９ｄを介して画素基板１の面１ａに設置されている。この形態に係る電気泳動表示装置２０を変形例１として、図３に例示する。
【００３１】
スペーサー層９ｄは、上述のスペーサー層９ａと同様の部材を用いることができる。つまり、スペーサー層９ｄはスペーサー９ｅを有しており、スペーサー９ｅは例えば繊維で形成されたものである。このスペーサー層９ｄにおいて、繊維９ｅは不規則に並んで形成されたものであってもよいし、規則的に並んで形成されたものであってもよい。また、このスペーサー層９ｄは、１本の繊維９ｅで形成されたものであってもよいし、複数本の繊維９ｅで形成されたものであってもよい。なお、スペーサー９ｅは、繊維に限定されるものではない。スペーサー層９ｄに後述する隙間を形成できるものであればよい。
繊維９ｅの材料は、有機材料であってもよいし、無機材料であってもよい。また、繊維９ｅは、絶縁部材で形成されていてもよい。
スペーサー層９ｄの厚さは、電気泳動粒子６の平均粒径以上の厚さであり、例えば電気泳動粒子６の平均粒径の１倍以上５０倍以下の範囲内である。
【００３２】
また、画素基板１の法線方向から見た場合に視認される繊維９ｅの面積は、隔壁８の端面８ｂの面積よりも小さい。
スペーサー層９ｄは、電気泳動粒子６が移動可能な隙間（図示せず）を有している。この隙間の形状は、特に限定されるものではない。例えば、全体として不規則な形状をした隙間であってもよいし、規則的な形状をした隙間であってもよい。
【００３３】
また、スペーサー層９ｄは、スペーサー層９ａと同様の機能も備えている。つまり、スペーサー層９ｄは、画素基板１の面１ａと隔壁８の端面８ｂとの間の距離を一定に保つ機能を有している。
変形例１に係る電気泳動表示装置２０であれば、隔壁８の端面８ｂと画素基板１との間にはスペーサー層９ｄが設置されている。このため、画素基板１及び画素電極２が透明部材で形成されていれば、画素基板１の法線方向から見た場合に、隔壁８の端面８ｂよりも繊維９ｅの方が視認されやすくなる。そして、画素基板１の法線方向から見た場合に視認される繊維９ｅの面積は、隔壁８の端面８ｂの面積よりも小さくなっているので、従来技術と比較して、表示のロスを低減できる。よって、本変形例であれば、画素基板１側及び対向基板３側においても表示領域を拡大させることができ、電気泳動表示装置を高コントラス化することができる。
【００３４】
（変形例２）
電気泳動表示装置１０では、隔壁８を備えている場合について説明したが、これに限定されるものではない。隔壁８に代えてビーズ１２を用いてもよい。この場合には、ビーズ１２はスペーサー層９ａを介して対向基板３の面３ａに設置されている。この形態に係る電気泳動表示装置３０を変形例２として、図４に例示する。
【００３５】
変形例２に係る電気泳動表示装置３０であれば、ビーズ１２と対向基板３との間にはスペーサー層９ａが設置されている。このため、対向基板３とビーズ１２との間に電気泳動粒子６が挟まって残留する可能性を低減できる。ゆえに、本変形例であっても、表示領域を拡大させることができるので、電気泳動表示装置を高コントラス化することができる。
なお、本変形例ではスペーサー層９ａのみが設置された場合について説明したが、例えば、スペーサー層９ａとスペーサー層９ｄとが設置されていてもよい。この場合、画素基板１及び画素電極２が透明部材で形成されていれば、画素基板１側及び対向基板３側においても表示領域を拡大させることができる。
【００３６】
（変形例３）
電気泳動表示装置１０では、隔壁８を備えている場合について説明したが、これに限定されるものではない。隔壁８に代えて、例えば連通する複数の孔を備える多孔質部材１３を用いてもよい。この形態に係る電気泳動表示装置４０を変形例３として、図５に例示する。
変形例３に係る電気泳動表示装置４０では、多孔質部材１３に備わる複数の孔の各々に電気泳動粒子６が充填されている。また、多孔質部材１３はスペーサー層９ａを介して対向基板３の面３ａに設置されている。また、多孔質部材１３は、対向基板３に対向する面１３ａを備えている。そして、対向基板３の法線方向から見た場合に視認される繊維９ｂの面積は、多孔質部材１３の面１３ａの面積よりも小さい。
【００３７】
電気泳動表示装置４０であれば、多孔質部材１３の面１３ａと対向基板３との間にはスペーサー層９ａが設置されている。このため、対向基板３の法線方向から見た場合には、多孔質部材１３の面１３ａよりもスペーサー層９ａの方が視認されやすくなる。そして、対向基板３の法線方向から見た場合に視認される繊維９ｂの面積は、多孔質部材１３の面１３ａの面積よりも小さくなっているので、従来技術と比較して、表示のロスを低減できる。ゆえに、本変形例であっても、表示領域を拡大させることができるので、電気泳動表示装置を高コントラス化することができる。
【００３８】
なお、本変形例ではスペーサー層９ａのみが設置された場合について説明したが、例えば、スペーサー層９ａとスペーサー層９ｄとが設置されていてもよい。この場合、画素基板１及び画素電極２が透明部材で形成されていれば、画素基板１側及び対向基板３側においても表示領域を拡大させることができる。
なお、上述の多孔質部材１３は、電気泳動粒子６が移動可能な連通する複数の孔を備えた部材であればよく、図５には、例えば繊維１３ｂを含んで形成された部材が例示されている。
【００３９】
（２）第２実施形態
次に、上述の第１実施形態に係る電気泳動表示装置１０を、電子機器に適用した場合について説明する。
図６（ａ）は、本発明の第２実施形態に係る電子ペーパー１００の構成例を示す斜視図である。電子ペーパー１００は、上述の第１実施形態で説明した電気泳動表示装置１０を表示領域１０１に備えている。画素基板１、対向基板３がそれぞれ可撓性を有する材料で構成されることにより、電子ペーパー１００は可撓性を有し、従来の紙と同様の質感及び柔軟性を有する書き換え可能なシートからなる本体１０２を備える。
【００４０】
図６（ｂ）は、電子ノート２００の構成例を示す斜視図である。電子ノート２００は、上記の電子ペーパー１００が複数枚束ねられ、カバー２０１に挟まれているものである。カバー２０１は、例えば外部の装置から送られる表示データを入力する表示データ入力手段（図示せず）を備える。これにより、その表示データに応じて、電子ペーパーが束ねられた状態のまま、表示内容の変更や更新を行うことができる。
【００４１】
本発明の第２実施形態に係る電子ペーパー１００、電子ノート２００によれば、本発明の第１実施形態に係る電気泳動表示装置１０を備える。このため、第１実施形態と同様の効果を奏し、画像保持特性に優れ、表示品位に優れた表示部を備えた電子機器となる。なお、上記の電子ペーパー１００、電子ノート２００は、本発明に係る電子機器を例示するものであって、本発明の適用の範囲を限定するものではない。例えば、携帯電話、携帯用オーディオ機器などの電子機器の表示部にも、電気泳動表示装置１０を好適に用いることができる。また、上述の電気泳動表示装置１０に限定されることなく、電気泳動表示装置１０の変形例である電気泳動表示装置２０、３０、４０も上記電子機器の表示部に好適に用いることができる。
【００４２】
（その他の作用効果）
本発明の実施形態に係る電気泳動表示装置１０の作用効果のうち、上述した作用効果以外の作用効果を以下に示す。
本実施形態に係る電気泳動表示装置１０であれば、隔壁８を備えているので、電気泳動粒子６が沈降によって偏る可能性が少ない。よって、隔壁８を備えない電気泳動表示装置と比較して、電気泳動粒子６の沈降に起因する表示ムラを低減でき、表示の信頼性を高めることができる。
【００４３】
また、本実施形態に係る電気泳動表示装置１０であれば、分散液５の導電率に起因した電流しか流さない。よって、例えばバインダーを備える電気泳動表示装置（マイクロカプセル型の電気泳動表示装置）と比較して、低消費電力化できる。
また、本実施形態に係る電気泳動表示装置１０であれば、マイクロカプセルを固定するためのバインダーが不要となる。よって、バインダーを用いるマイクロカプセル型の電気泳動表示装置と比較して、構成部品の数を少なくすることができる。ゆえに、製品としての信頼性を高めることができる。
【符号の説明】
【００４４】
１  画素基板、１ａ  面、１ｂ  面、２  画素電極、３  対向基板、３ａ  面、４  共通電極、５  分散液、６  電気泳動粒子、６ａ  黒色粒子、６ｂ  白色粒子、８  隔壁、８ａ  端面、８ｂ  端面、９  スペーサー層、９ａ  スペーサー層、９ｂ  スペーサー（繊維）、９ｃ  隙間、９ｄ  スペーサー層、９ｅ  スペーサー（繊維）、１０  電気泳動表示装置、１１  セル、１２  ビーズ、１３  多孔質部材、１３ａ  面、１３ｂ  繊維、１４  表示領域となる部分、１５ａ  白線部分、１５ｂ  白線部分、２０  電気泳動表示装置、３０  電気泳動表示装置、４０  電気泳動表示装置、１００  電子ペーパー、１０１  表示領域、１０２  本体、２００  電子ノート、２０１  カバー
【図１】
2013225065.tif 000003
【図２】
2013225065.tif 000004
【図３】
2013225065.tif 000005
【図４】
2013225065.tif 000006
【図５】
2013225065.tif 000007
【図６】
2013225065.tif 000008
【図７】
2013225065.tif 000009